(57)【要約】      （修正有）【課題】水返しと意匠パネルを別体構成することにより、意匠パネルが長くなっても運送費が上がることを防止できるとともに、意匠パネルを安定した状態で設置できるシステムキッチンを提供する。【解決手段】壁面１０ａの前側に配置され、上面にカウンター１２が形成されるとともにカウンター１２の後部に水返し１２ａが形成され、水返し１２ａの上方に位置するようにして意匠パネル２０が壁面１０ａに固定されるシステムキッチンにおいて、意匠パネル２０の下方に隠蔽部材３０を設けた。隠蔽部材３０が水返し１２ａの上端部と意匠パネル２０の下端部との隙間を隠す。【選択図】図２
2017029204.tif 000002
【特許請求の範囲】
【請求項１】
壁面の前側に配置され、上面にカウンターが形成されるとともに前記カウンターの後部に水返しが形成され、前記水返しの上方に位置するようにして意匠パネルが前記壁面に固定されるシステムキッチンであって、
前記システムキッチンが、前記意匠パネルの下方に配置される隠蔽部材を備え、前記隠蔽部材が前記水返しの上端部と意匠パネルの下端部との隙間を隠すことを特徴とするシステムキッチン。
【請求項２】
前記隠蔽部材が、前記意匠パネルに対して着脱可能になっている請求項１に記載のシステムキッチン。
【請求項３】
前記意匠パネルが、少なくとも前面部と、当該前面部に対向して配置された背面部と、を備え、前記背面部は前記前面部の下端よりも下方に延びた延出部を有し、当該延出部がねじによって前記壁面に固定され、前記隠蔽部材が、前記延出部を隠すようにして配置されている請求項２に記載のシステムキッチン。
【請求項４】
前記背面部と、前記前面部と前記背面部とに掛け渡された天井部と、背面部の下端部から前方に延びる下端片とで前記意匠パネルの下部に前側が開口した空間部が形成され、
前記下端片の上面前端側に上方が開放された係合溝部が形成され、
前記隠蔽部材に、前記空間部の前側下部から前記空間部の後側上部に延びて、前記空間部の前側下部に位置する部分に前記係合溝部に着脱可能に係合できる係合突起が形成された当接片が設けられ、
前記当接片の上部が、前記係合突起を中心として前方に傾くと前記天井部に当接し、後方に傾くと前記空間部の後方に位置する背面部に当接する請求項１ないし３のいずれか一つに記載のシステムキッチン。
【発明の詳細な説明】
【技術分野】
【０００１】
本発明は、上面にカウンターが形成されるとともにカウンターの後部に水返しが形成され、水返しの上方に位置するようにして意匠パネルが壁面に固定されるシステムキッチンに関する。
【背景技術】
【０００２】
従来から、システムキッチンや流し台のカウンターの上面における後部や側部には、水がカウンターから流れ落ちたり周囲に飛び散ったりすることを防止するために、水返し及び意匠パネルとしての機能を備えたバックガードが設けられている。このようなバックガードは、通常カウンターと一体に成形されている。しかしながら、カウンターとバックガードを一体に形成すると、システムキッチンや流し台が大型になって工場から各店舗又は購入者の所まで運送する費用が高くなるという問題がある。このため、バックガードをカウンターとは別部材で構成した流し台もある（例えば、特許文献１参照）。
【０００３】
この流し台では、バックガードは、カウンター（天板）と別部材からなっており、接着剤とタッピンねじを用いてカウンターの上面後部に固定されている。すなわち、バックガードには、上端から下端に貫通する貫通孔が形成されており、バックガードは、接着剤によってカウンターに接着されたのちに、さらに、タッピンねじをバックガードの上方から貫通孔に通し、その先端部をカウンターに螺合させることにより固定されている。
【先行技術文献】
【特許文献】
【０００４】
【特許文献１】実開昭６１−４３４３８号公報
【発明の概要】
【０００５】
しかしながら、前述した流し台では、バックガードをタッピンねじでカウンターに固定しているため、いわゆるハイバックカウンター式のシステムキッチンに備わったバックガードのように、高さが高くなると不安定になるという問題もある。
【０００６】
本発明は、前述した問題に対処するためになされたもので、その目的は、バックガードをカウンターに形成される水返しと壁面に固定される意匠パネルで構成することにより、意匠パネルの上下方向の長さが長くなっても運送費が上がることを防止できるとともに、意匠パネルを安定した状態で設置できるシステムキッチンを提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係るシステムキッチンの構成上の特徴は、壁面（１０ａ）の前側に配置され、上面にカウンター（１２）が形成されるとともにカウンターの後部に水返し（１２ａ）が形成され、水返しの上方に位置するようにして意匠パネル（２０）が壁面に固定されるシステムキッチン（Ａ）であって、システムキッチン（Ａ）が、意匠パネルの下方に配置される隠蔽部材（３０）を備え、隠蔽部材が水返しの上端部と意匠パネルの下端部を隠すことにある。
【０００８】
本発明に係るシステムキッチンでは、カウンターの後部に水返しを形成して、意匠パネルを水返しの上方に位置させた状態で壁面に固定している。すなわち、バックガードを、別体からなる水返しと意匠パネルで構成している。このため、台所に設置される前のシステムキッチンを運送する際には、意匠パネルを寝かした状態でカウンターの上面に置いたり、システムキッチン本体の前面又は後面に沿わせたりして梱包することができる。すなわち、梱包体積を小さくできるので、運送費が安価になる。
【０００９】
また、意匠パネルは、水返しに固定されるのではなく、壁面に固定されるため、安定した状態で取り付けることができ、高さ方向の位置も任意に設定できる。この場合の意匠パネルの壁面への取付けは、金属や樹脂材料からなる固定部材を用いて行える他、接着剤、接着テープ、ねじ等を用いて直接壁面に取り付けることもできる。さらに、意匠パネルとしては、高さの異なるものを複数種類用意しておき、システムキッチンを設置する場所に応じて、最適な意匠パネルを選択することもできる。なお、意匠パネルが取り付けられる壁面は、建築の壁面の他、キッチンの背面側に造作した壁面やキッチンの背面側に設置したキャビネットの背面でもよい。
【００１０】
また、水返し、意匠パネル及び壁面にはそれぞれ反りが発生していることがある。水返し、意匠パネル及び壁面に反りが発生していた場合に、水返しの上方に意匠パネルを設置すると、水返しの上端部と意匠パネルの下端部を一致させることが難しく、水返しの上方に意匠パネルを設置することによって反りによる水返しと意匠パネルとのずれがより目立つことがある。このため、水返し、意匠パネル及び壁面のいずれかに反りが生じていたとしても、本発明のように、意匠パネルの下端部と水返しの隙間を隠蔽部材で塞ぐことで、その反りを目立ちにくくすることができる。この結果、水返し、意匠パネル及び壁面のいずれかに反りが生じることによって、美観を損なうことがなくなる。
【００１１】
本発明に係るシステムキッチンの他の構成上の特徴は、隠蔽部材が、意匠パネルに対して着脱可能になっていることにある。
【００１２】
システムキッチンにおいては、カウンターが破損して取り替えの必要が生じたり、カウンターをシステムキッチンの本体から外して本体部分の修理を行ったりすることがある。このような場合に、パネル本体と隠蔽部材が一体に形成されていると、意匠パネルを壁面から取り外したのちに、カウンターの取り外しを行わなければならないが、本発明のように、隠蔽部材が、パネル本体に対して着脱可能になっていると、水返しをパネル本体に接触させることなく、カウンターの取り外し及び取り付けを行うことができる。このため、カウンターをシステムキッチンの本体から着脱することが容易になる。
【００１３】
本発明に係るシステムキッチンのさらに他の構成上の特徴は、意匠パネルが、少なくとも前面部と、前面部に対向して配置された背面部（２２）と、を備え、背面部は前面部の下端よりも下方に延びた延出部を有し、当該延出部がねじ（１５）によって壁面に固定され、隠蔽部材が、前記延出部を隠すように配置されていることにある。
【００１４】
本発明によると、意匠パネルの取付けを水返しの上端部と意匠パネルの下端部との間の隙間を利用して取り付けることができる。また、隠蔽部材が、意匠パネルと水返しの隙間を隠すだけでなく、意匠パネルの延出部を隠す、すなわち、取付け部である延出部やねじ等を前方から見えなくするカバー部材としても用いることができる。
【００１５】
本発明に係るシステムキッチンのさらに他の構成上の特徴は、背面部と、前面部と背面部とに掛け渡された天井部（２４）と、背面部の下端部から前方に延びる下端片（２５）とでパネル本体の下部に前側が開口した空間部が形成されて、下端片（２５）の上面の前端側に上方が開放された係合溝部（２５ａ）が形成され、隠蔽部材に、空間部の前側下部から空間部の後側上部に延びて、空間部の前側下部に位置する部分に係合溝部に着脱可能に係合できる係合突起（３２ｄ）が形成された当接片（３２）が設けられ、当接片の上部が、係合突起を中心として前方に傾くと天井部に当接し、後方に傾くと空間部の後方に位置する背面部に当接することにある。
【００１６】
本発明によると、係合溝部と係合突起を係合させることにより、ねじ、ボルト等の固定部材を用いることなく隠蔽部材をパネル本体に組み付けることができる。この場合、隠蔽部材をパネル本体に取り付けるときには、当接片の先端部を背面部と天井部の交差部に近づけるようにして当接片を空間部内に入れて、係合突起を係合溝部に係合させる。これによって、当接片が傾こうとしてもその先端部が背面部または天井部に当接するため隠蔽部材は一定の姿勢に維持される。また、隠蔽部材をパネル本体から取り外すときには、当接片の先端部を背面部と天井部の交差部に近づけるようにして隠蔽部材を持ち上げて係合突起を係合溝部から外す。これによって、隠蔽部材をパネル本体から取り外すことができる。
【図面の簡単な説明】
【００１７】
【図１】本発明の一実施形態に係るシステムキッチンを示した斜視図である。
【図２】システムキッチンに備わったバックガードを示した断面図である。
【図３】意匠パネルを示しており、（ａ）は一部を示した正面図、（ｂ）は側面図である。
【発明を実施するための形態】
【００１８】
以下、本発明の一実施形態を図面を用いて説明する。図１は、同実施形態に係るハイバックカウンター式のシステムキッチンＡを示している。このシステムキッチンＡは、壁部１０の壁面１０ａに沿って設置されており、壁部１０の右側部分は平面視がＬ形になった低い壁部で構成され、その上面にはＬ形の台部１０ｂが設置されている。システムキッチンＡは、キャビネット本体１１の上部に設けられたカウンター１２に加熱用のＩＨヒータ１３とシンク１４とを左右両側に間隔をおいて配置して構成されている。また、キャビネット本体１１内には、前方に引出し可能になった複数の引き出し１１ａが設けられ、カウンター１２におけるシンク１４の後方部分には、水栓１４ａが取り付けられている。
【００１９】
そして、カウンター１２の後端部には、壁面１０ａに沿って上方に延びる水返し１２ａが形成され、水返し１２ａの上方には、壁面１０ａに固定された意匠パネル２０と隠蔽部材３０が位置している。この水返し１２ａと意匠パネル２０でバックガードＢＧが構成される。このバックガードＢＧにおけるカウンター１２の上面からの高さは１２５ｍｍに設定されており、バックガードＢＧの上端部は、水栓１４ａの吐水口部１４ｂの開口（下端部）よりも高い位置に位置している。なお、吐水口部１４ｂの開口のカウンター１２の上面からの高さは１００ｍｍに設定されている。
【００２０】
水返し１２ａは、カウンター１２と一体に形成されており、図２に示したように、前面（図２の左側の面）における上下方向の中央側部分及び後面がそれぞれ平面になった横長の板状に形成されており、下部に対して上部が僅かに後方に位置するように傾斜している。また、水返し１２ａの前面下部からカウンター１２の上面後部にかけての入り隅部分は段差のない曲面に形成され、水返し１２ａの前面と上端面とが交差する角部は面取り加工されている。水返し１２ａは、カウンター１２の上面からの高さが４０ｍｍに設定され、前後方向の厚みが１２ｍｍに設定されている。
【００２１】
意匠パネル２０は、左右方向の長さが水返し１２ａと同じになった左右に長いアルミニウム製の押出材で構成されており、上下方向の長さが８５ｍｍで、厚みが１４ｍｍに設定されている。この意匠パネル２０は、パネル本体２０ａ、前面部２１、背面部２２、一対の補強リブ２３ａ，２３ｂ、係合用リブ２４、下端片２５及びハンガーレール部２６で構成されており、これらの各部分はそれぞれパネル本体２０ａの左右の端部間にわたって延びている。
【００２２】
前面部２１は、パネル本体２０ａの前面の上端側部分と下端側部分を除いた部分を構成する部分であり薄板状に形成されている。また、前面部２１の表面には、図３（ａ）に示したように、左右に延びる浅くて細い線状凹部２１ａが、上下に等間隔で５つ形成されており、この表面で意匠面が構成されている。
【００２３】
背面部２２は、パネル本体２０ａの背面を構成し、前面部２１と平行に形成されている。また、前面部２１と同様、薄板状に形成されている。この背面部２２の上下方向の中央よりも少し上側と少し下側の部分には、それぞれ溝状の凹部２２ａ，２２ｂが形成されている。凹部２２ａ，２２ｂは、後方が開放された断面コ字状に形成されており、その凹部２２ａ，２２ｂを形成する部分の厚みは、背面部２２の他の部分と同じになっている。また、背面部２２の上端近傍には、前後に貫通する複数のねじ挿通孔２２ｃが左右に間隔をおいて形成され、背面部２２の下端近傍には、前後に貫通する複数のねじ挿通孔２２ｄが左右に間隔をおいて形成されている。
【００２４】
補強リブ２３ａは、凹部２２ａの前部と前面部２１を連結しており、補強リブ２３ｂは、凹部２２ｂの前部と前面部２１を連結している。この凹部２２ａと補強リブ２３ａ及び凹部２２ｂと補強リブ２３ｂによってパネル本体２０ａの中央部分は補強され所定の強度を備えている。
【００２５】
係合用リブ２４は、本発明に係る天井部を構成する部分で、前面部２１の下端よりも少し上の部分と、背面部２２におけるねじ挿通孔２２ｄよりも少し上の部分を連結している。この係合用リブ２４は、リブ前部２４ａとリブ後部２４ｂを備えた段違い状に形成されており、リブ前部２４ａは、前後方向の長さがリブ後部２４ｂの前後方向の長さよりも少し長く、リブ後部２４ｂよりも少し上方に位置している。そして、リブ前部２４ａの後端部とリブ後部２４ｂの前端部との間には段差部２４ｃが形成されている。
【００２６】
下端片２５は、背面部２２の下端から前方に延びており、その前端部の前後方向の位置は、補強リブ２３ａ，２３ｂ及び係合用リブ２４の前端位置と同じになっている。すなわち、下端片２５の前端部は、前面部２１の厚み分前面部２１の表面よりも後方に位置している。また、下端片２５の上面前端側部分には、上方が開放された係合溝部２５ａが形成されている。この係合溝部２５ａは、下端片２５の前端部と、その前端部から少し後方の部分に互いに平行する一対の突条を左右に延ばして形成することで構成されている。なお、背面部２２、係合用リブ２４及び下端片２５で囲まれた部分で本発明に係る空間部が構成される。
【００２７】
ハンガーレール部２６は、パネル本体２０ａの上部に形成されており、前面部２１の上端部と背面部２２におけるねじ挿通孔２２ｃの僅かに下方の部分（図２の状態で）を連結する連結片２６ａと、背面部２２の上端から前方に延びる上端片２６ｂと、上端片２６ｂの前端から下方に延びたのちに屈曲して後方側やや下方に延びる垂下係合片２６ｃを備えている。連結片２６ａは、前面部２１の上端部から斜めやや上方に延びたのちに少し傾斜を大きくして斜め上方に延びており、上面が僅かに凹状になっている。連結片２６ａの下部と垂下係合片２６ｃの下部との間には、所定幅の隙間が形成されている。なお、図示は省略しているが、垂下係合片２６ｃにおけるねじ挿通孔２２ｃに対向する部分には、ねじ挿通孔２２ｃよりも大きなねじ挿通孔が形成されている。
【００２８】
このように構成されたパネル本体２０ａは、複数の取付ねじ１５によって壁部１０に固定される。この場合、取付ねじ１５を垂下係合片２６ｃのねじ挿通孔に通すとともにその取付ねじ１５のねじ部を背面部２２のねじ挿通孔２２ｃに通しながら、壁部１０に螺合させることでパネル本体２０ａの上部を壁部１０に固定する。また、このとき、背面部２２の上部と、壁部１０との間には、弾性を有するシール材１５ａが予め貼り付けられている。そして、パネル本体２０ａの下部は、取付ねじ１５を背面部２２のねじ挿通孔２２ｄに通しながら、そのねじ部を壁部１０に螺合させることで壁部１０に固定する。
【００２９】
また、上端片２６ｂの上面と垂下係合片２６ｃの前面から下面にかけての部分は、レールカバー２７で覆われている。レールカバー２７の前部２７ａの下端部は、垂下係合片２６ｃの下端部よりも僅かに下方の位置まで延びており、レールカバー２７の下部２７ｂは前部２７ａの下端部からやや上方に湾曲しながら後方に延びてその先端が垂下係合片２６ｃの下端部に圧接している。このため、ハンガーレール部２６の垂下係合片２６ｃとレールカバー２７の下部２７ｂとの間には隙間が形成されている。このレールカバー２７は、可撓性を有する薄い板で構成されており、上端片２６ｂの上面に沿わせてスライドさせることにより、前方から上端片２６ｂと垂下係合片２６ｃに取り付けることができる。また、意匠パネル２０の両端には、キャップ２７ｃが取り付けられている。
【００３０】
また、ハンガーレール部２６には、収納部材２８がスライド可能に取り付けられる。この収納部材２８は、洗剤やスポンジ等を置くためのもので、水平に配置された四角枠体の左右の両辺に、前後に間隔を保って左右に延びる複数の金属棒を連結して構成される収納部本体２８ａの後端両側から、上方に一対の吊棒２８ｂを延ばして構成されている。この吊棒２８ｂの上端側部分は、連結片２６ａと垂下係合片２６ｃに係合できるように屈曲している。収納部材２８は、連結片２６ａと垂下係合片２６ｃの間の隙間から吊棒２８ｂの上部を挿し込んで連結片２６ａの下部に当接させその屈曲した部分を垂下係合片２６ｃに係合させてハンガーレール部２６にスライド可能に取り付けられる。
【００３１】
隠蔽部材３０は、前面部３１と、当接片３２からなっている。前面部３１は、平面状部分３１ａの上部に段部を形成するように後方に曲がった位置合わせ部３１ｂを形成して構成されており、平面状部分３１ａの上下の幅は、前面部２１の２つの線状凹部２１ａの間隔と略同じに設定されている。位置合わせ部３１ｂは、前面部３１の厚み分後方にずれて平面状部分３１ａに対して段違いになった部分と、その段違い部分の上端から屈曲して後方に突出した水平部分とで構成されている。
【００３２】
当接片３２は、前面部３１の裏面における上下方向の略中央から後方斜め上方に延びており、前側水平部３２ａ、傾斜部３２ｂ及び後側水平部３２ｃを備えている。前側水平部３２ａは、前面部３１から係合溝部２５ａの幅程度後方に延びており、その下面には、係合溝部２５ａに着脱可能に係合できる係合突起３２ｄが形成されている。傾斜部３２ｂの斜め上下方向の幅は、係合溝部２５ａの後端とリブ後部２４ｂの前端との間の長さよりも少し短く設定されている。後側水平部３２ｃの前後方向の幅は、リブ後部２４ｂの前後の幅よりも少し短くなっており、その後端部には下方に突出する突起が形成されている。また、後側水平部３２ｃの上面における左端部側と右側端部側には、それぞれ板状のクッション材２４ｄが貼り付けられている。
【００３３】
このように構成された隠蔽部材３０をパネル本体２０ａに組み付けるときには、まず、隠蔽部材３０の上部を後方に傾けて、後側水平部３２ｃの後端部を背面部２２とリブ後部２４ｂの角部に向かわせるようにして、当接片３２と前面部３１の位置合わせ部３１ｂを係合用リブ２４と下端片２５の間の空間部に入れる。ついで、後側水平部３２ｃのクッション材２４ｄをリブ後部２４ｂの下面に押し付けながら、隠蔽部材３０を、傾斜部３２ｂと後側水平部３２ｃの角部を中心として図２の反時計回り方向に回転し、前側水平部３２ａを係合溝部２５ａに押し付ける。これによって、係合突起３２ｄが係合溝部２５ａに係合し、位置合わせ部３１ｂの前面に前面部２１の下端部が位置するようになる。
【００３４】
このように構成されたシステムキッチンＡを構成する各部材はそれぞれ所定の工場で製造される。そして、システムキッチンＡ、特にカウンター１２と意匠パネル２０を搬送する際には、カウンター１２の上面に意匠パネル２０を重ねて置く等してコンパクトに梱包する。なお、水栓１４ａ、収納部材２８及びその他の小物部品は、個別に梱包してもよいし、キャビネット本体１１内に同梱してもよい。設置場所にシステムキッチンＡを構成する各部材が搬送されると、まず、キャビネット本体１１を壁面１０ａに沿わせて設置場所に設置する。このとき、水返し１２ａの裏面が壁面１０ａに接するようにするとともに、水返し１２ａの上部と壁面１０ａが当接する部分にコーキング材１６を塗布して隙間をシールする。
【００３５】
ついで、パネル本体２０ａを壁面１０ａにおける水返し１２ａの上方の設置位置に位置合わせした状態で、複数の取付ねじ１５で壁面１０ａに固定する。このとき、背面部２２の上部または壁面１０ａにシール材１５ａを貼り付けておく。つぎに、上端片２６ｂの上面と垂下係合片２６ｃの前面から下面にかけての部分にレールカバー２７を取り付けるとともに、意匠パネル２０の両端に、キャップ２７ｃを取り付ける。
【００３６】
そして、パネル本体２０ａの下部に隠蔽部材３０を組み付ける。このとき、前面部３１の下端部の裏面は、水返し１２ａの前面の前方に位置して、前面部３１と水返し１２ａの間には隙間ができる。このため、前面部３１の裏面と水返し１２ａの前面との間に、弾性を有するシール材１７を設置して隙間を閉塞する。このシール材１７は、隠蔽部材３０をパネル本体２０ａに組み付ける前に、前面部３１の裏面に予め貼り付けておく。これによって、意匠パネル２０と隠蔽部材３０の取り付けが終了する。なお、隠蔽部材３０の前面部３１の前面とパネル本体２０ａの前面とは同一平面に配置されている。実施例では、蔽部材３０の前面部３１は、図２の断面図に示すようにパネル本体２０ａの前面を直線的に延長している。これにより、意匠パネル２０隠蔽部材３０の前面には、前面部２１と前面部３１の意匠面が連続した意匠面として表れる。
【００３７】
そして、カウンター１２に水栓１４ａを取り付けるとともに、水栓１４ａに配水管（図示せず）を接続する。また、ＩＨヒータ１３に電気配線を接続し、ハンガーレール部２６に収納部材２８を取り付けてシステムキッチンＡの設置が終了する。これによって、システムキッチンＡは、使用可能になる。また、隠蔽部材３０をパネル本体２０ａから取り外す必要が生じたときには、隠蔽部材３０を、上方に持ち上げながら、傾斜部３２ｂと後側水平部３２ｃの角部を中心として図２の時計回り方向に回転させる。これによって、係合突起３２ｄと係合溝部２５ａの係合が解除させる。このとき、前面部３１の上部は後方に移動しようとするため、位置合わせ部３１ｂが前面部２１の下端部に当接して隠蔽部材３０の回転を妨げることはない。
【００３８】
以上のように、本実施形態に係るシステムキッチンＡでは、バックガードＢＧを構成する水返し１２ａと意匠パネル２０のうち、水返し１２ａはカウンター１２の後端部にカウンター１２と一体に形成し、意匠パネル２０は、水返し１２ａと別体にして、壁面１０ａに固定している。このため、台所に設置される前のシステムキッチンＡを運送する際には、意匠パネル２０を寝かした状態でカウンター１２の上面に置いたり、キャビネット本体１１の前面または後面に沿わせたりして梱包することができ、これによって、意匠パネル２０の高さ分、システムキッチンＡを低くすることができる。この結果、運送費が安価になる。また、水返し１２ａは、カウンター１２と一体に形成されているため、カウンター１２の後方に水が流れることはない。
【００３９】
また、意匠パネル２０及び隠蔽部材３０は、水返し１２ａの位置に応じて任意の位置に取り付けることができるため、水返し１２ａ、意匠パネル２０及び壁面１０ａのいずれかに反りが発生していた場合でも、その反りを目立ちにくくすることができる。この結果、水返し１２ａ、意匠パネル２０及び壁面１０ａのいずれかに反りが生じることによって、美観を損なうことがなくなる。また、隠蔽部材３０の前面部３１の下端部を水返し１２ａの前面上端よりも前側下方に位置させているため、水返し１２ａと意匠パネル２０の隙間が見えなくなる。さらに、前面部３１の下部と水返し１２ａの間に、シール材１７が設置されているため、水返し１２ａと意匠パネル２０の間に汚れや埃が溜まりにくくなるとともに、水も浸入しなくなる。
【００４０】
また、隠蔽部材３０およびレールカバー２７がパネル本体２０ａに対して着脱可能になっているため、パネル本体２０ａを取付ねじ１５で壁面１０ａに固定するときの操作が容易になるとともに、パネル本体２０ａが固定された後に、取付ねじ１５、ねじ挿通穴等を、隠蔽部材３０およびレールカバー２７で覆い隠すことができる。また、隠蔽部材３０をパネル本体２０ａから取り外すことにより、カウンター１２をシステムキッチンＡの本体から着脱する際の操作も容易になる。
【００４１】
さらに、隠蔽部材３０は、係合突起３２ｄと係合溝部２５ａの係合によりパネル本体２０ａに組み付けられるため、隠蔽部材３０のパネル本体２０ａへの組み付けに、ねじ、ボルト等の固定部材を用いる必要がない。このため、隠蔽部材３０のパネル本体への着脱が容易になる。また、前面部３１の上部に位置合わせ部３１ｂが形成され、この位置合わせ部３１ｂの前面に前面部２１の下端部が位置するようにしているため、パネル本体２０ａの前面部２１と、隠蔽部材３０の前面部３１の間に隙間が生じていても、その隙間から意匠パネル２０内に水が浸入することはない。さらに、パネル本体２０ａと、隠蔽部材３０をそれぞれアルミニウム製の押出材で構成したため、意匠パネル２０を軽量でかつ高強度を備えたものにできる。
【００４２】
本発明に係るシステムキッチンは、前述した各実施形態に限定するものでなく、適宜変更して実施することができる。例えば、前述した実施形態では、パネル本体２０ａと隠蔽部材３０とで構成しているが、意匠パネル２０と隠蔽部材３０を一体からなるパネルで構成してもよい。また、パネル本体２０ａと隠蔽部材３０とは、アルミニウムに限らず、ステンレスや、ＡＢＳ樹脂、メラミン樹脂などの樹脂材料で構成してもよく、また、押出材でない板状のもので構成してもよい。
【００４３】
さらに、前述した実施形態では、隠蔽部材３０との当接片３２を、前側水平部３２ａ、傾斜部３２ｂ及び後側水平部３２ｃで構成しているが、係合突起３２ｄと係合溝部２５ａの係合部分を深くするなどして、隠蔽部材３０とが傾かなくなるようにすれば、後側水平部３２ｃは省略することもできる。また、前述した実施形態では、水返し１２ａが、カウンター１２と一体に形成されているが、この水返し１２ａは、カウンター１２と別体で構成し、固定部材、接着剤等を用いてカウンター１２に固定してもよい。さらに、本発明に係るシステムキッチンのそれ以外の部分の構成についても本発明の技術的範囲内で適宜変更することができる。
【符号の説明】
【００４４】
１０ａ…壁面、１２…カウンター、１２ａ…水返し、１５…取付ねじ、２０…意匠パネル、２１…前面部、２２…背面部、２３ａ，２３ｂ…補強リブ、２４…係合用リブ、２５…下端片、２５ａ…係合溝部、３０…隠蔽部材、３１…前面部、３２…当接片、３２ｄ…係合突起、Ａ…システムキッチン。
【図１】
2017029204.tif 000003
【図２】
2017029204.tif 000004
【図３】
2017029204.tif 000005